(57)【要約】【課題】加工や組立てが容易で、製造コストが安く、しかも長期間にわたって安定して運転できる水平回転式分級装置を提供するものである。【解決手段】基台１の上部の三角形の各頂点位置に、ローラ盤３の下部受皿３Ａを取付け、この上方に設けた可動板２の上に、上部を開口した篩い枠４を傾斜して取付け、この篩い枠４の内側にスクリーン５Ａ、スクリーン５Ｂを間隔をおいて傾斜して取付け、前記可動板２にローラ盤３の上部受皿３Ｂを取付け、これと前記下部受皿３Ａとの間に金属ボール９を介在させて、篩い枠４を取付けた可動板２を３個のローラ盤３で３点支持すると共に、前記基台１に取付けたモーター１６に接続して回転するクランクシャフト１３を基台の中央側に縦方向に取付け、この上部を可動板２に取付けた軸受１５に軸支させて、クランクシャフト１３の回転により、篩い枠４を傾斜した状態で水平に回転するようにしたものである。【選択図】  図２
2005040758.tif 000002
【特許請求の範囲】
【請求項１】
基台上部の正三角形または二等辺三角形の各頂点位置に、リング溝を形成したローラ盤の下部受皿を取付け、この上方に設けた可動板の上に、上部と一方の側面を開口した篩い枠を取付け、この篩い枠の内側に１段または複数段のスクリーンを間隔をおいて取付け、前記可動板の底面に、リング溝を形成したローラ盤の上部受皿を取付け、これと前記下部受皿との両リング溝の間に金属ボールを介在させて、篩い枠を取付けた可動板を３個のローラ盤で３点支持すると共に、前記基台に取付けたモーターに接続して回転するクランクシャフトを、基台の中央側に縦方向に取付け、このクランクシャフトの上部を可動板に取付けた軸受に軸支させて、クランクシャフトの回転により、篩い枠を偏心回転するようにしたことを特徴とする水平回転式分級装置。
【請求項２】
可動板の上に一体に設けた篩い枠を傾斜して取付けたことを特徴とする請求項１記載の水平回転式分級装置。
【請求項３】
基台の中央側に設けられた梁部の上部と下部に軸受を設けて、ここにクランクシャフトを軸支したことを特徴とする請求項１記載の水平回転式分級装置。
【発明の詳細な説明】
【技術分野】
【０００１】
本発明は、木材チップなどを分級する水平回転式分級装置に関するものである。
【背景技術】
【０００２】
従来、チョッパーで木材を細かいチップに切断し、このチップをパルプの原料や、建築ボードの原料として利用している。このチョッパーで細かく切断した段階のチップは、所定の大きさのチップの他に、切断不良の大きなものや細かいダストなど大きさが不均一なものが混在しているので、分級装置に掛けて篩分けして、大きさのほぼ揃ったものを選別している。この分級装置としては、一般に水平回転式分級装置が用いられている。
【０００３】
従来の水平回転式分級装置は、例えば図３に示すように、基台１の上に、可動板２がローラ盤３を介して取付けられ、この可動板２の上部に、上部を開口した篩い枠４が傾斜して一体に取付けられている。この篩い枠４の内側は例えば上段に網目が粗いスクリーン５Ａが、下段に網目が細かいスクリーン５Ｂが。底板６との間に間隔をおいて傾斜して取付けられている。
【０００４】
また基台１の上面には図４に示すように、その４隅にローラ盤取付台７が設けられ、この上にそれぞれローラ盤３の下部受皿３Ａが取付けられている。またこの上方に位置する可動板２にも、その４隅にローラ盤３の上部受皿３Ｂが取付けられている。このローラ盤３は図５に示すように、下部受皿３Ａと上部受皿３Ｂの片面にそれぞれ断面半円形のリング溝８が形成され、この両リング溝８、８の間に金属ボール９を介在させて、下部受皿３Ａと上部受皿３Ｂを重ね合わせて、上部受皿３Ｂを取付けた可動板２が水平に回転するようになっている。
【０００５】
また基台１の中央側の梁部１０の中心には図４に示すように、ベアリングケース１１が取付けられ、ここにクランクシャフト１３が挿着されて回転自在に軸支されている。このクランクシャフト１３は図３に示すように、クランク部にフライホイール１４が取付けられ、上部がは底板６の底面に取付けた軸受１５に軸支されている。
【０００６】
上記構成の水平回転式分級装置は、基台１に取付けたモーター１６を回転させると、プーリー１７Ａ、ベルト１８、プーリー１７Ｂを介してクランクシャフト１３が回転し、この折曲した先端が可動板２の軸受１５に軸支されているので、可動板２が偏心回転する。この時、可動板２の４隅にローラ盤３…が取付けられているので、ローラ盤３の上部受皿３Ｂはリング溝８の中心直径の幅で水平に回転する。
【０００７】
この結果、可動板２の上部に一体に取付けた篩い枠４も傾斜した状態で水平面内を回転する。この状態で篩い枠４の上部開口部１９からチョッパーで木材を細かく切断したチップを投入すると、傾斜した状態で回転運動している網目が粗い上段のスクリーン５Ａで篩い分けられ、大きいいチップはそのまま側面開口部２０から滑り落ちて、コンベアー２１Ａで排出される。スクリーン５Ａを通過した、チップやダストは更に下段の網目が細かいスクリーン５Ｂでダストが篩い分けられ、所定の大きさのチップだけが選別されて側面開口部２０から滑り落ち、コンベアー２１Ｂで排出される。底板６に落下した細かいダストは側面開口部２０から滑り落ちて、コンベアー２１Ｃで排出されるようになっている。
【０００８】
しかしながら従来の水平回転式分級装置は、図４に示すように基台１に取付けたローラ盤取付台７の上面と、可動板２の底面との間の４隅にローラ盤３…が取付けられて４点支持されているので、この取付け部分の水平を出さないとローラ盤３が円滑に回転しない。このため基台１を組み立てて、ローラ盤取付台７を取付けてからローラ盤３の取付面を同時にフライス加工しなければならず、加工が面倒で製造コストが高くなると共に、基台１はフライス盤にセットできる大きさに限定されるため、大型のものを製造できない問題があった。また４個のローラ盤３で篩い枠４の重量を４点で支えながら水平に回転しているため、力が均等に加わらずローラ盤３が局部的に摩耗して、長い期間の間に円滑な回転ができなくなる問題もあった。
【発明の開示】
【発明が解決しようとする課題】
【０００９】
本発明は上記問題を改善し、加工や組立てが容易で、製造コストが安く、しかも長期間にわたって安定して運転することができる水平回転式分級装置を提供するものである。
【課題を解決するための手段】
【００１０】
本発明の請求項１記載の水平回転式分級装置は、基台上部の正三角形または二等辺三角形の各頂点位置に、リング溝を形成したローラ盤の下部受皿を取付け、この上方に設けた可動板の上に、上部と一方の側面を開口した篩い枠を取付け、この篩い枠の内側に１段または複数段のスクリーンを間隔をおいて取付け、前記可動板の底面に、リング溝を形成したローラ盤の上部受皿を取付け、これと前記下部受皿との両リング溝の間に金属ボールを介在させて、篩い枠を取付けた可動板を３個のローラ盤で３点支持すると共に、前記基台に取付けたモーターに接続して回転するクランクシャフトを、基台の中央側に縦方向に取付け、このクランクシャフトの上部を可動板に取付けた軸受に軸支させて、クランクシャフトの回転により、篩い枠を偏心回転するようにしたことを特徴とするものである。
【００１１】
本発明の請求項２記載の水平回転式分級装置は、可動板の上に一体に設けた篩い枠を傾斜して取付けたことを特徴とするものである。更に本発明の請求項３記載の水平回転式分級装置は、基台の中央側に設けられた梁部の上部と下部に軸受を設けて、ここにクランクシャフトを軸支したことを特徴とするものである。
【発明の効果】
【００１２】
本発明に係る請求項１記載の水平回転式分級装置によれば、篩い枠を一体に取付けた可動板が、基台上部の正三角形または二等辺三角形の各頂点位置に配置した３個のローラ盤で３点支持されているので、篩い枠の加重がほぼ均等に加わり、円滑にローラ盤を回転させることができる。また３点支持であるので、各ローラ盤の取付け高さが多少ずれていても水平が保持されていれば、長期間に亘って円滑に回転することができると共に、加工や組立てが容易で安価に製造することができ、しかも大型の分級装置を製造することが可能である。
【００１３】
また請求項２記載の水平回転式分級装置によれば、可動板の上に一体に設けた篩い枠を傾斜して取付けたので、大量のものを短時間で効率よく分級することができる。
【００１４】
更に請求項３記載の水平回転式分級装置によれば、クランクシャフトが、基台の中央側梁部の上下部に分離して取付けた軸受に縦方向に貫通して支持されているので、軸受が小型化され、更に安価に製造することができる。
【発明を実施するための最良の形態】
【００１５】
篩い枠を一体に取付けた可動板が、基台上部の三角形の各頂点位置に配置した３個のローラ盤で３点支持することにより、加工や組立てが容易で安価に製造することができ、しかも大型で、長期間に亘って円滑に回転することができる分級装置を実現した。
【実施例１】
【００１６】
以下本発明の実施例を図１および図２を参照して詳細に説明する。水平回転式分級装置は、図１に示すように、基台１の上の二等辺三角形の各頂点位置に、３個のローラ盤取付台７…を取付け、上部開口部１９と一方の側面開口部２０を形成した篩い枠４を傾斜して一体に取付けた可動板２と、前記ローラ盤取付台７との間に３個のローラ盤３が取付けられている。篩い枠４は、内側上部に網目が粗いスクリーン５Ａが、中間に網目が細かいスクリーン５Ｂが底板６との間に間隔をおいて傾斜して取付けられている。
【００１７】
ローラ盤取付台７…は、篩い枠４の下降側の基台１の上部両側コーナ−に図２に示すように２個のローラ盤取付台７、７が取付けられ、篩い枠４の上昇側の基台１の中央部に１個のローラ盤取付台７が取付けられ、各ローラ盤取付台７の上にローラ盤３の下部受皿３Ａがそれぞれ取付けられている。つまり３個のローラ盤３は二等辺三角形の各頂点位置に取付けられている。
【００１８】
また篩い枠４を傾斜して一体に取付けた可動板２の底面には、前記下部受皿３Ａと対向して二等辺三角形の各頂点位置に３個の上部受皿３Ｂが取付けられ、これらを組合わせてローラ盤３が構成されている。このローラ盤３は図５に示すように、下部受皿３Ａと上部受皿３Ｂの片面にそれぞれ断面半円形のリング溝８が形成され、この両リング溝８、８の間に金属ボール９を介在させて、下部受皿３Ａと上部受皿３Ｂを重ね合わせて、上部受皿３Ｂを取付けた可動板２が水平に回転するようになっている。
【００１９】
また基台１の中央側に取付けた梁部１０には図１に示すように、二等辺三角形のほぼ重心位置の上下部に軸受２２、２２が取付けられ、ここを上下に貫通してクランクシャフト１３が挿着されて回転自在に軸支されている。このクランクシャフト１３は、クランク部にフライホイール１４が取付けられ、上部がは底板６の底面に取付けた軸受１５に軸支され、可動板２が偏心して回転するようになっている。
【００２０】
また基台１の側面にはモーター１６が取付けられ、この出力軸に取付けたプーリー１７Ａと、クランクシャフト１３の下端に取付けたプーリー１７Ｂとがベルト１８を介して連結されている。
【００２１】
上記構成の水平回転式分級装置は、基台１に取付けたモーター１６を回転させると、プーリー１７Ａ、ベルト１８、プーリー１７Ｂを介してクランクシャフト１３が回転し、この折曲した先端が可動板２の軸受１５に軸支されているので、可動板２が偏心回転する。この時、可動板２は、二等辺三角形の各頂点位置に配置したローラ盤取付台７に取付けた３個のローラ盤３で３点支持されているので、篩い枠４の加重がほぼ均等に加わり、円滑にローラ盤３を回転させることができる。
【００２２】
また３点支持であるので、３か所のローラ盤取付台７の高さが多少ずれていても水平が保持されていれば、長期間に亘って円滑に回転することができる。このため、従来の４点支持のようにローラ盤３の取付け面を同時にフライス加工する必要がなく、加工や組立てが容易で安価に製造することができ、しかも大型の分級装置を製造することが可能である。
【００２３】
またクランクシャフト１３は、基台１の中央側梁部１０の上下部に取付けた小型の軸受２２、２２に支持されているので、従来のような大型のベアリングケース１１が不要で、更に安価に製造することができる。
【００２４】
なお上記実施例では、篩い枠４の内側上段に網目が粗いスクリーン５Ａを、下段に網目が細かいスクリーン５Ｂを配置した２段構造について示したが、１段または３段以上の構成でも良い。また篩い枠４を可動板２の上部に傾斜させて取付けた場合について示したが、篩い枠４が小型の場合には水平に取付けた構造でも良い。また上記説明では基台上部の二等辺三角形の各頂点位置に３個のローラ盤を配置した場合について示したが、正三角形の各頂点位置にローラ盤を配置した構造でも良い。
【産業上の利用可能性】
【００２５】
本発明の水平回転式分級装置は、木材チップの分級だけではなく、砂利や粉体、穀類、堆肥の分級などにも広く利用することができる。
【図面の簡単な説明】
【００２６】
【図１】本発明の実施の一形態による水平回転式分級装置の縦断面図である。
【図２】図１の可動板を取外した状態を示す平面図である。
【図３】従来の４点支持型の水平回転式分級装置を示す縦断面図である。
【図４】図３の可動板を取外した状態を示す平面図である。
【図５】ローラ盤を分解して示す斜視図である。
【符号の説明】
【００２７】
１    基台                                                  
２    可動板                                                
３    ローラ盤                                              
３Ａ  下部受皿                                              
３Ｂ  上部受皿                                              
４    篩い枠                                                
５Ａ  スクリーン                                            
５Ｂ  スクリーン                                            
６    底板                                                  
７    ローラ盤取付台                                        
８    リング溝                                              
９    金属ボール                                            
１０  梁部                                                  
１１  ベアリングケース                                      
１３  クランクシャフト                                      
１４  フライホイール                                        
１５  軸受                                                  
１６  モーター                                              
１７Ａプーリー                                              
１８  ベルト                                                
１９  上部開口部
２１Ａ コンベアー                                          
２２  軸受       
【図１】
2005040758.tif 000003
【図２】
2005040758.tif 000004
【図３】
2005040758.tif 000005
【図４】
2005040758.tif 000006
【図５】
2005040758.tif 000007